(57)【要約】【課題】他装置の放送受信部を使用する視聴端末装置が柔軟に選局できること。【解決手段】端末制御部は、放送を受信する受信装置のチューナーの使用状況を示す放送受信部情報に基づいてチューナーを選択し、選択したチューナーの使用を要求する使用要求を、受信装置へ送信させる。端末通信部は、使用要求に基づいて使用しているチューナーが受信した放送のデータを受信する。表示部及び音声出力部は、端末通信部が受信した放送のデータに基づいて、放送を視聴させる。【選択図】図２
2015056686.tif 000002
【特許請求の範囲】
【請求項１】
放送を受信する受信装置の１又は複数と、前記放送を視聴させる視聴端末装置の１又は複数と、を備える視聴システムにおいて、
前記受信装置は、
前記放送を受信する放送受信部の１又は複数と、
前記放送受信部の使用状況を示す放送受信部情報を提供するとともに、前記視聴端末装置からの使用要求に基づいて、前記放送受信部の少なくとも１つを前記視聴端末装置に使用させる受信装置制御部と、
前記視聴端末装置が使用している放送受信部が受信した放送のデータを、当該視聴端末装置へ送信する受信装置通信部と、
を備え、
前記視聴端末装置は、
前記放送受信部情報に基づいて前記放送受信部を選択し、選択した放送受信部の使用を要求する前記使用要求を、前記受信装置へ送信させる端末装置制御部と、
前記受信装置通信部が送信した放送のデータを受信する端末装置通信部と、
前記端末装置通信部が受信した放送のデータに基づいて、前記放送を視聴させる視聴部と、
を備えること特徴とする視聴システム。
【請求項２】
前記受信装置制御部は、前記受信装置が自装置の放送受信部の使用を開始するとき、当該放送受信部を前記視聴端末装置が使用している場合に、前記視聴端末装置による使用を中断し、当該放送受信部を備える受信装置による使用を優先させることを特徴とする請求項１に記載の視聴システム。
【請求項３】
前記受信装置制御部は、前記視聴端末装置による使用を中断する場合に、中断要求を当該視聴端末装置へ送信させ、
前記視聴端末装置は、
前記放送を受信する内蔵放送受信部を備え、
前記視聴部は、前記中断要求を受信した場合に、前記内蔵放送受信部が受信した放送を視聴させることを特徴とする請求項２に記載の視聴システム。
【請求項４】
放送を受信する受信装置の放送受信部の使用状況を示す放送受信部情報に基づいて前記放送受信部を選択し、選択した放送受信部の使用を要求する使用要求を、前記受信装置へ送信させる端末装置制御部と、
前記使用要求に基づいて使用している放送受信部が受信した放送のデータを受信する端末装置通信部と、
前記端末装置通信部が受信した放送のデータに基づいて、前記放送を視聴させる視聴部と、
を備えること特徴とする視聴端末装置。
【請求項５】
放送を受信する放送受信部の１又は複数と、
前記放送受信部の使用状況を示す放送受信部情報を提供するとともに、視聴端末装置からの使用要求に基づいて、前記放送受信部の少なくとも１つを前記視聴端末装置に使用させる受信装置制御部と、
前記視聴端末装置が使用している放送受信部が受信した放送のデータを、当該視聴端末装置へ送信する通信部と、
を備えることを特徴とする受信装置。
【発明の詳細な説明】
【技術分野】
【０００１】
本発明は、視聴システム、視聴端末装置、及び受信装置に関する。
【背景技術】
【０００２】
近年、携帯電話等の視聴端末装置で、テレビジョン放送を視聴する技術が知られている。特許文献１には、親テレビと子テレビから構成されるテレビシステムについて記載されている。このテレビシステムでは、親テレビは、複数のチューナー(BS/CS（放送衛星や通信衛星によるテレビジョン衛星放送）、地上デジタル、アナログ)を有している。親テレビは、複数のチューナーによって受信された受信信号から、親テレビ放送用の受信信号を選択するとともに子テレビ放映用の受信信号を選択し、選択された信号をワイヤレス送信する。子テレビは、親テレビがワイヤレス送信した受信信号を受信し、その受信信号を信号処理してテレビジョン番組をユーザに視聴させる。
【先行技術文献】
【特許文献】
【０００３】
【特許文献１】特開２００３−２４４５７０号公報
【発明の概要】
【発明が解決しようとする課題】
【０００４】
しかしながら、特許文献１記載の発明では、親テレビが、自身のチャンネルの選局（単に「選局」とも称する）に付随して、子テレビに対するチューナー（放送受信部）を割り当てる。したがって、子テレビは、使用する予定のチューナー又は使用しているチューナーについて、親テレビが使用をするときに、所望のチューナーを利用できない場合がある。この場合、子テレビでは、選局が自由に行えない場合や、視聴途中に親テレビでの選局によって子テレビでの選局が変更されてしまう場合があり、選局に障害が生じてしまう。
【０００５】
本発明は、他装置の放送受信部を使用する視聴端末装置が柔軟に選局できる視聴システム、視聴端末装置、及び受信装置を提供する。
【課題を解決するための手段】
【０００６】
本発明の一態様は、放送を受信する受信装置の１又は複数と、前記放送を視聴させる視聴端末装置と、を備える視聴システムにおいて、前記受信装置は、前記放送を受信する放送受信部の１又は複数と、前記放送受信部の使用状況を示す放送受信部情報を提供するとともに、前記視聴端末装置からの使用要求に基づいて、前記放送受信部の少なくとも１つを前記視聴端末装置に使用させる受信装置制御部と、前記視聴端末装置が使用している放送受信部が受信した放送のデータを、当該視聴端末装置へ送信する受信装置通信部と、を備え、前記視聴端末装置は、前記放送受信部情報に基づいて前記放送受信部を選択し、選択した放送受信部の使用を要求する前記使用要求を、前記受信装置へ送信させる端末装置制御部と、前記受信装置通信部が送信した放送のデータを受信する端末装置通信部と、前記端末装置通信部が受信した放送のデータに基づいて、前記放送を視聴させる視聴部と、を備えること特徴とする視聴システムである。
【発明の効果】
【０００７】
本発明によれば、他装置の放送受信部を使用する視聴端末装置が柔軟に選局できる。
【図面の簡単な説明】
【０００８】
【図１】本発明の第１の実施形態に係る視聴システムを示す概略図である。
【図２】本実施形態に係る受信装置と視聴端末の構成を示す概略ブロック図である。
【図３】本実施形態に係るチューナーテーブルの一例を表す概略図である。
【図４】本実施形態に係る受信装置の動作を示すフローチャートである。
【図５】本実施形態に係る視聴端末の動作を示すフローチャートである。
【図６】本発明の第２の実施形態に係る受信装置の動作を示すフローチャートである。
【図７】本実施形態に係る視聴端末の動作を示すフローチャートである。
【発明を実施するための形態】
【０００９】
（第１の実施形態）
以下、図面を参照しながら本発明の実施形態について詳しく説明する。
図１は、本発明の第１の実施形態に係る視聴システムを示す概略図である。この図は、視聴システムが宅内に配置された場合の一例を表す。この図において、視聴システムは、複数の受信装置１００ｎ（ｎ＝１、２、３）、無線装置Ｂ１、視聴端末２００、及び、アンテナＡ１を具備する。なお、図１の視聴システムでは、各受信装置１００ｎと無線装置Ｂ１の間が、全て無線接続されているが、本発明はこれに限らず、一部又は全部が有線接続されていても良い。
【００１０】
受信装置１００ｎは、テレビジョン放送(BS/CS、地上デジタル、アナログ等)の信号（テレビ信号と称する）を受信するチューナーを備える。チューナーは、例えばアンテナＡ１からの配線の端子に接続され、アンテナＡ１を介して、選局に応じたテレビ信号を受信し、受信したテレビ信号を復調する。ここで、選局とは、チャンネルを選択することを意味する。このチャンネルは、放送局毎に割り当てられた識別情報であっても良いし、放送波の種類と放送局の組毎に割り当てられた識別情報であっても良い。例えば、地上デジタル放送のＡテレビ局とアナログ放送のＡテレビ局は、別のチャンネルとして選局されても良い。
なお、受信装置１００ｎは、チューナーが復調したテレビ信号に基づいてテレビジョン番組を表示する表示部を備えても良いし、備えなくても良い。受信装置１００ｎは、復調したテレビ信号を、無線装置Ｂ１を介して、視聴端末２００へ送信する。
受信装置１００１は、例えば、据え置きの大画面テレビ受像機であり、受信装置１００２は、例えば、ＢＤ／ＨＤＤ（ブルーレイディスク／ハードディスク）レコーダ等の記憶装置である。受信装置１００３は、例えば、テレビジョン受信機能付のパーソナルコンピュータ（ＰＣとも称する）である。
【００１１】
無線装置Ｂ１は、各受信装置１００ｎから信号を受信し、受信した信号を視聴端末２００へ送信する。また、無線装置Ｂ１は、視聴端末２００から信号を受信し、受信した信号を各受信装置１００ｎへ送信する。また、無線装置Ｂ１は、各受信装置１００ｎ及び視聴端末２００が信号を送受信するためのアドレスを管理しても良い。例えば、無線装置Ｂ１は、ＩＰアドレス（例えばＩＰアドレス）を払い出して管理しても良いし、外部サーバが払い出したアドレス或いは各装置及び端末から受信したアドレス（例えばＭＡＣアドレス）を管理しても良い。無線装置Ｂ１は、例えば、無線ＬＡＮのアクセスポイントである。
視聴端末２００は、無線装置Ｂ１を介して受信装置１００ｎからテレビ信号を受信し、受信したテレビ信号に基づいてテレビジョン番組を表示する。つまり、視聴端末２００は、受信装置１００ｎのチューナーを使用してテレビ信号を取得し、テレビジョン番組を表示する。なお、視聴端末２００は、テレビ信号（例えば１セグメント放送のテレビ信号）を受信して復調するチューナー（内蔵チューナー）を備えても良い。視聴端末２００は、例えば、スマートフォン等の携帯電話端末、ＰＣやタブレット等の情報端末である。
【００１２】
視聴システムでは、受信装置１００ｎのチューナーの使用状況を示すチューナーテーブル（図３；放送受信部情報）を更新する。視聴端末２００は、チューナーテーブルを参照し、使用中でないチューナー（使用可能チューナーとも称する）を選択する。視聴端末２００は、選択した使用可能チューナー（選択チューナーとも称する）を備える受信装置１００ｎに対して、選択チューナーの使用を要求するチューナー使用要求を送信する。視聴端末２００は、チューナー使用要求の応答を受信し、選択チューナーの使用が許可された場合には、選択チューナーを制御することが可能となり、視聴端末２００から選局コマンドを送信し、任意のチャネルを選択できる。そして、選択チューナーが受信したテレビ信号、つまり、テレビ放送用の映像信号及び音声信号を取得する。視聴端末２００は、取得したテレビ信号に基づいて、テレビジョン番組を表示する。
【００１３】
このように、視聴端末２００は、１又は複数の受信装置１００ｎで使用されていない使用可能チューナーを検索して選択し、選択した選択チューナーを使用してテレビ信号を取得する。なお、視聴端末２００又は受信装置１００ｎが自装置のチューナーを使用している状態、及び、視聴端末２００が受信装置１００ｎのチューナーを制御している状態を、チューナーを「使用」しているという。これにより、視聴端末２００は、受信装置１００ｎに選局を強制される可能性を少なくでき、視聴端末２００側でより柔軟に選局できる。また、視聴端末２００は、複数の受信装置１００ｎが備えるチューナー中から、使用可能チューナーを選択できる。これにより、視聴端末２００は、ある受信装置１００ｎで所望のチューナーが使用されている場合でも、他の受信装置１００ｎで所望のチューナーを使用できる場合があり、より柔軟に選局できる。以下では、各受信装置１００ｎを受信装置１００とも称する。
【００１４】
図２は、本実施形態に係る受信装置１００と視聴端末２００の構成を示す概略ブロック図である。この図において、受信装置１００は、チューナー部１０１、受信信号処理部１０２、受信装置制御部１０３、及び通信部１１０を含んで構成される。視聴端末２００は、通信部２１０、信号処理部２０３、音声制御部２０４、端末制御部２０５、表示制御部２０６、音声出力部２０７、及び表示部２０８を含んで構成される。
【００１５】
（受信装置１００の構成）
チューナー部１０１は、１又は複数のチューナー（放送受信部）を備える。図２の例では、チューナー部１０１は、３つのチューナーＡ、Ｂ、Ｃを備える。チューナーＡ、Ｂ、Ｃは、それぞれ、選局に応じたテレビ信号を受信し、受信したテレビ信号を復調する。チューナー部１０１は、チューナーＡ、Ｂ、Ｃで復調したテレビ信号を、受信信号処理部１０２へ出力する。なお、チューナーＡ、Ｂ、Ｃに接続されるチューナー用アンテナは、安定した高品位の信号受信という観点から、受信装置１００１（据え置きの大画面テレビ受像機）のように、外部のアンテナＡ１と接続する構成が望ましい。
【００１６】
受信信号処理部１０２は、チューナー部１０１から入力されたテレビ信号を、通信用のデータに変換する変換処理を行う。例えば、受信信号処理部１０２は、変換処理において、受信装置制御部１０３から入力された宛先（視聴端末２００）を送信先とし、テレビ信号を含むデータ（テレビデータとも称する）を、変換処理後のデータとして生成する。受信信号処理部１０２は、テレビデータを、通信部１１０の受信装置通信部１０４へ出力する。
【００１７】
受信装置制御部１０３は、受信装置１００の各部（例えば、チューナー部１０１、受信信号処理部１０２、及び受信装置通信部１０４）を制御する。また、受信装置制御部１０３は、受信装置通信部１０４を介して、視聴端末２００が送信したコマンドを取得する。コマンドには、例えば、チューナー使用要求や、チューナーを外部から制御するための制御コマンドがある。受信装置制御部１０３は、取得した制御コマンドをチューナー部１０１へ出力することで、チューナー部１０１を制御する。
受信装置制御部１０３は、コマンドに対する応答（以下、応答と称する）を生成し、受信装置通信部１０４へ出力する。また、受信装置制御部１０３は、チューナー部１０１の各チューナーの使用状況を、チューナーテーブルに書き込む。
【００１８】
通信部１１０は、受信装置通信部１０４及びアンテナ１０５を含んで構成される。受信装置通信部１０４は、他の受信装置１００や視聴端末２００、無線装置Ｂ１と通信を行う。例えば、受信装置通信部１０４は、受信信号処理部１０２及び受信装置制御部１０３から入力されたデータであって視聴端末２００宛のデータを変調し、アンテナ１０５を介して無線装置Ｂ１へ送信する。このデータは、例えばテレビデータや応答である。また、受信装置通信部１０４は、視聴端末２００が送信したデータを、無線装置Ｂ１及びアンテナ１０５を介して受信し、受信したデータを復調する。この復調したデータは、例えばチューナー使用要求や制御コマンドである。通信部１１０は、受信したデータを受信装置制御部１０３へ出力する。
【００１９】
（視聴端末２００の構成）
通信部２１０は、各受信装置１００と通信を行う機能を有し、例えば無線装置Ｂ１を介して各受信装置１００と通信を行う。通信部２１０は、アンテナ２０１及び端末通信部２０２を含んで構成される。例えば、端末通信部２０２は、アンテナ２０１を介して受信したデータを復調する。端末通信部２０２は、復調したデータのうち、テレビデータを信号処理部２０３へ出力し、応答を端末制御部２０５へ出力する。端末通信部２０２は、信号処理部２０３及び端末制御部２０５から入力されたデータであって各受信装置１００宛のデータを変調し、アンテナ２０１を介して無線装置Ｂ１へ送信する。このデータは、例えばチューナー使用要求や制御コマンドである。
【００２０】
信号処理部２０３は、通信部２１０から入力されたテレビデータを変換することで、テレビ信号を取得する。信号処理部２０３は、取得したテレビ信号のうち、音声信号を音声制御部２０４へ出力し、映像信号を表示制御部２０６へ出力する。なお、視聴端末２００はチューナー（内蔵チューナーとも称する）を備えても良く、その場合、信号処理部２０３は、内蔵チューナーが受信したテレビ信号を取得しても良い。
音声制御部２０４は、信号処理部２０３から入力された音声信号に基づいて音声出力信号を生成し、音声出力信号を音声出力部２０７へ出力する。
【００２１】
端末制御部２０５は、視聴端末２００の各部（例えば、端末通信部２０２、信号処理部２０３、音声制御部２０４、表示制御部２０６）を制御する。また、端末制御部２０５は、端末通信部２０２を介して各受信装置１００が送信した応答を取得する。また、端末制御部２０５は、ユーザ操作や応答に基づいてコマンドを生成し、生成したコマンドを受信装置通信部１０４へ出力する。例えば、端末制御部２０５は、チューナーテーブルを参照し、チューナーテーブルに基づいてチューナー使用要求を生成する。
【００２２】
表示制御部２０６は、信号処理部２０３から入力された映像信号に基づいて映像出力信号を生成し、映像出力信号を表示部２０８へ出力する。
音声出力部２０７は、例えばスピーカーであり、音声制御部２０４から入力された音声出力信号に応じて音を出力する。
表示部２０８は、例えばディスプレイであり、表示制御部２０６から入力された映像出力信号に応じて映像を出力する。
【００２３】
（チューナーテーブル）
図３は、本実施形態に係るチューナーテーブルの一例を表す概略図である。このチューナーテーブルは、例えば受信装置１００自身が記憶するが、他の装置が記憶しても良い。ここで、チューナーテーブルは、ネットワークに接続された他の受信装置１００や視聴端末２００が読みだすことができるように、外部からアクセス可能なアドレス空間に用意される。チューナーテーブルは、受信装置１００を識別する受信装置アドレスを有し、受信装置アドレスの受信装置１００のチューナー毎に、チューナー種別、使用中フラグ、使用者、予約の各項目を有している。
【００２４】
受信装置アドレスは、受信装置１００自身を示し、視聴端末２００が複数の受信装置１００からチューナーテーブルを参照した場合に、そのテーブルがどの受信装置１００の情報であるかを識別するものである。チューナー種別は、チューナーを識別する情報であるが、BS/CS、地上デジタル、アナログ等、受信可能な放送波を識別する情報であっても良い。また、同じ放送波を受信可能なチューナーが複数あってもよい。使用中フラグは、チューナーが使用中であるか否かを表す。使用者は、チューナーを使用する使用者を表す。ここで、使用者とは装置であるが、アプリケーションやユーザであっても良い。予約は、チューナーの予約状況を表し、例えば録画予約等によってチューナーを使用する予定時刻が記憶される。
【００２５】
図３のチューナーテーブルは、ＩＰアドレス「１９２．１６８．１．１５」の受信装置１００が、３つのチューナーＡ、Ｂ、Ｃを備えることを表す。このチューナーテーブルは、チューナーＡ、Ｂは使用中であり（使用中フラグ「ＯＮ」）、ＩＰアドレス「１９２．１６８．１．２０」の視聴端末２００がチューナーＡを使用していること、及びＩＰアドレス「１９２．１６８．１．２１」の視聴端末２００がチューナーＢを使用していることを表す。このチューナーテーブルは、チューナーＡが、応答が生成された時点で使用中であり、かつ、次の「２０：００−２１：００」に使用される予定であることを表す。このチューナーテーブルは、チューナーＣは、使用中でない（使用中フラグ「ＯＦＦ」）ことを表しているが、「１９：００−２２：００」に使用される予定で予約されており、その時には使用中フラグは「ＯＮ」となる。なお、図２、図３の例では、受信装置１００が３つのチューナーを備える場合について説明したが、受信装置１００は、チューナーを複数備えなくても良く、単数備えても良い。
【００２６】
（視聴システムの動作）
以下、視聴システムの動作について説明する。
図４、５は、視聴端末２００を使用したテレビジョン番組の視聴の開始と終了を表す図である。図４は、本実施形態に係る受信装置１００の動作を示すフローチャートである。
【００２７】
（ステップＳ１０１）受信装置制御部１０３は、受信装置１００の電源が入れられた場合（電源ＯＮ）、通信部１１０の無線ＬＡＮを起動する。これにより、受信装置１００は、他の受信装置１００や視聴端末２００、無線装置Ｂ１とのネットワークを構築する。その後、ステップＳ１０２へ進む。通信部１１０は無線ＬＡＮとしたが、有線ＬＡＮ接続でもよい。
【００２８】
（ステップＳ１０２）受信装置制御部１０３は、受信装置１００のチューナー部１０１の(複数の)チューナーの使用状態を確認する。まず、チューナーＡが使用中でないと判定された場合（Ｎｏ）、ステップＳ１０３へ進む。選択チューナーＡが使用中であると判定された場合（Ｙｅｓ）、ステップＳ１０４へ進む。
（ステップＳ１０３）受信装置制御部１０３は、チューナーテーブルのチューナーＡの使用中フラグにＯＦＦを書き込む。その後、ステップＳ１０５へ進む。
（ステップＳ１０４）受信装置制御部１０３は、チューナーテーブルのチューナーＡの使用中フラグにＯＮを書き込む。その後、ステップＳ１０５へ進む。
【００２９】
（ステップＳ１０５）受信装置制御部１０３は、受信装置１００の有するすべてのチューナーの使用状態を確認したらステップＳ１０６へ進む。未確認のチューナーがあればステップＳ１０２に戻る。なお、前記ステップＳ１０２からＳ１０４ではチューナーＡと記載したが、未確認のチューナーがある場合は、順次、チューナーＢ、チューナーＣのように未確認のチューナーに変更して、同様の処理を行う。すべてのチューナーの使用状態の確認が終了したらステップＳ１０６へ進む。
（ステップＳ１０６）受信装置制御部１０３は、視聴端末２００からチューナー使用要求が有ったか否かを判定する。チューナー使用要求が有ったと判定された場合（Ｙｅｓ）、ステップＳ１０７へ進む。一方、チューナー使用要求が無かったと判定された場合（Ｎｏ）、ステップＳ１０２へ戻る。
【００３０】
（ステップＳ１０７）受信装置制御部１０３は、選択チューナーについて、自装置が制御する動作モードから、視聴端末２００等の外部装置が制御コマンドによって制御できる動作モード（チューナー外部制御モードと称する）へ、動作モードを切り替える。受信装置制御部１０３は、チューナーテーブルの当該チューナーの使用中フラグに「ＯＮ」を書き込み、さらに、使用者にチューナー使用要求を送信した視聴端末２００のＩＰアドレスを書き込む。以降は、選択チューナーは、チューナー外部制御モードで動作する。なお、図４のステップS１０７において、動作モードの切り替えとチューナーテーブルへの書き込みは、最初の１回だけ行えばよい。その後、ステップＳ１０８へ進む。
【００３１】
（ステップＳ１０８）受信装置制御部１０３は、チューナー外部制御モードを終了するか否かを判定する。例えば、受信装置制御部１０３は、次の（１）〜（４）場合にチューナー外部制御モードを終了すると判定する。
（１）使用者（視聴端末２００）から制御終了コマンドを受信した場合
（２）使用者との通信又は放送波の受信が一定時間以上、切断された場合
（３）ユーザ操作や予約録画等の機能により、自装置が選択チューナーを使用する場合
（４）選択チューナーが使用できない場合等に、中断コマンドを送信する場合
【００３２】
チューナー外部制御モードを終了すると判定された場合（Ｙｅｓ）、受信装置制御部１０３は、チューナーテーブルの当該チューナーの使用中フラグに「ＯＦＦ」を書き込む。その後、図４の動作が終了される。一方、チューナー外部制御モードを終了しないと判定された場合（Ｎｏ）、ステップＳ１０７へ戻る。
【００３３】
図５は、本実施形態に係る視聴端末２００の動作を示すフローチャートである。
（ステップＳ２０１）端末制御部２０５は、テレビジョン番組の視聴プログラムが起動された場合、通信部２１０の無線ＬＡＮを起動する。これにより、視聴端末２００は、受信装置１００や無線装置Ｂ１とのネットワークを構築する。その後、ステップＳ２０２へ進む。
（ステップＳ２０２）端末制御部２０５は、各受信装置１００のチューナーテーブルを参照し、使用フラグを検索する。その後、ステップＳ２０３へ進む。
【００３４】
（ステップＳ２０３）端末制御部２０５は、ステップＳ２０２で検索した使用フラグが「ＯＦＦ」であるチューナー、つまり、使用可能チューナーの有無を確認する。端末制御部２０５は、使用可能チューナーが有った場合には、視聴したい番組を受信可能な使用可能チューナーを、選択チューナーとして選択する。選択チューナーが有ると判定された場合（Ｙｅｓ）、ステップＳ２０８へ進む。一方、選択チューナーが無いと判定された場合（Ｎｏ）、ステップＳ２０４へ進む。
【００３５】
（ステップＳ２０４）端末制御部２０５は、自装置が内蔵チューナーを備えるか否かを判定する。内蔵チューナーを備えると判定された場合（Ｙｅｓ）、ステップＳ２０５へ進む。一方、内蔵チューナーを有しないと判定された場合（Ｎｏ）、ステップＳ２１０へ進む。
（ステップＳ２０５）端末制御部２０５は、通信部２１０に通信を停止させることで、無線ＬＡＮを切る（オフにする）。その後、ステップＳ２０６へ進む。
（ステップＳ２０６）端末制御部２０５は、自装置の内蔵チューナーを使用してテレビジョン放送を受信し、視聴させる動作モード（内蔵チューナーテレビ視聴モード）へ、動作モードを切り替える。その後、ステップＳ２０７へ進む。
（ステップＳ２０７）端末制御部２０５は、視聴プログラムの終了等、テレビジョン番組の視聴が終了したか否かを判定する。視聴が終了したと判定された場合（Ｙｅｓ）、図５の動作が終了される。一方、視聴が終了していないと判定された場合（Ｎｏ）、ステップＳ２０７へ戻る。
【００３６】
（ステップＳ２０８）端末制御部２０５は、ステップＳ２０３で選択した選択チューナーの使用を要求するチューナー使用要求を、選択チューナーを備える受信装置１００宛てのチューナー使用要求として生成する。このチューナー使用要求は、通信部２１０から送信され、無線装置Ｂ１を介して受信装置１００に受信される。端末制御部２０５は、受信装置１００からチューナー使用要求を受理する応答を受信した場合、選択チューナーを制御コマンドによって制御する動作モード（チューナー制御テレビ視聴モード）へ、動作モードを切り替える。例えば、端末制御部２０５は、制御コマンドにより、選択チューナーを使用して選局を行う。その後、ステップＳ２０９へ進む。
（ステップＳ２０９）端末制御部２０５は、視聴プログラムの終了等、テレビジョン番組の視聴が終了したか否かを判定する。視聴が終了したと判定された場合（Ｙｅｓ）、ステップＳ２１０へ進む。一方、視聴が終了していないと判定された場合（Ｎｏ）、ステップＳ２０８へ戻る。
【００３７】
（ステップＳ２１０）端末制御部２０５は、通信部２１０に通信を停止させることで、無線ＬＡＮを切る（オフにする）。その後、図５の動作が終了される。なお、ステップＳ２１０、Ｓ２０５において、視聴プログラム以外のプログラムが無線ＬＡＮに接続している場合には、端末制御部２０５は、無線ＬＡＮを切らなくても良く、この場合、例えば無線装置Ｂ１や受信装置１００との接続を停止しても良い。
【００３８】
以上のように、本実施形態では、視聴システムは、放送を受信する、１又は複数の受信装置１００と、放送を視聴させる、１又は複数の視聴端末２００と、を備える。
各受信装置１００では、１又は複数のチューナーは、放送を受信することができる。受信装置制御部１０３は、チューナーの使用状況を示すチューナーテーブルを提供するとともに、視聴端末２００からのチューナー使用要求に基づいて、チューナーの少なくとも１つを視聴端末２００に使用させる。受信装置通信部１０４は、視聴端末２００が使用しているチューナーが受信した放送のデータを、この視聴端末２００へ送信する。視聴端末２００では、端末制御部２０５は、チューナーテーブルに基づいてチューナーを選択し、選択したチューナーの使用を要求する使用要求を、受信装置１００へ送信させる。端末通信部２０２は、受信装置通信部１０４が送信した放送のデータを受信する。表示部２０８及び音声出力部２０７は、端末通信部２０２が受信した放送のデータに基づいて、放送を視聴させる。これにより、視聴端末２００は、受信装置１００に選局を強制される可能性を少なくでき、視聴端末２００側でより柔軟に選局できる。また、視聴端末２００は、複数の受信装置１００が備えるチューナー中から、使用可能チューナーを選択できる。これにより、視聴端末２００は、ある受信装置１００で所望のチューナーが使用されている場合でも、他の受信装置１００で所望のチューナーを使用できる場合があり、より柔軟に選局できる。
【００３９】
また、本実施形態では、端末制御部２０５は、内蔵チューナーを有する視聴端末２００の場合、ネットワークに接続された受信装置１００について、それらのチューナーがすべて使用中("使用中フラグ"がすべて「ＯＮ」)の場合、内蔵チューナーによる視聴に切り替える。この場合、端末制御部２０５は、無線ＬＡＮを終了し、内蔵チューナーを起動する。
【００４０】
（第２の実施形態）
視聴端末２００がネットワークを介して使用している選択チューナーを、その選択チューナーを備える受信装置１００自体が使用する場合に、その受信装置１００は、視聴端末２００より優先して、選択チューナーを使用しても良い。受信装置１００自体が選択チューナーを使用する場合とは、例えば、その受信装置１００に対してユーザ操作が行われたときや予約録画が開始されるときに、選択チューナーを使用してテレビジョン放送を受信する必要があるときである。
【００４１】
図６、７は、チューナー外部制御モードの受信装置１００が選択チューナーの使用を開始する場合の動作を示す図である。図６は、本発明の第２の実施形態に係る受信装置１００の動作を示すフローチャートである。なお、この動作は、図４のステップＳ１０７において、行われる。
（ステップＳ３０１）受信装置制御部１０３は、自装置に対してユーザ操作が行われたか否かを判定する。ユーザ操作が行われたと判定された場合（Ｙｅｓ）、ステップＳ３０２へ進む。一方、ユーザ操作が行われていないと判定された場合（Ｎｏ）、図６の動作が終了される。なお、受信装置制御部１０３は、予め定められたユーザ操作があった場合のみ、自装置に対してユーザ操作が行われたと判定しても良い。受信装置制御部１０３は、例えば、選択チューナーを使用してテレビジョン放送を受信することとなる操作があった場合のみ、自装置に対してユーザ操作が行われたと判定しても良い。
（ステップＳ３０２）受信装置制御部１０３は、未使用のチューナー、つまり、使用フラグが「ＯＦＦ」のチューナーの有無を判定する。ここで、未使用のチューナーとは、受信装置１００が受信しようとするチャンネルのテレビジョン放送波を受信できるチューナーのうち、未使用のチューナーである。未使用のチューナーが有ると判定された場合（Ｙｅｓ）、ステップＳ３０７へ進む。一方、未使用のチューナーが無いと判定された場合（Ｎｏ）、ステップＳ３０３へ進む。
【００４２】
（ステップＳ３０３）受信装置制御部１０３は、受信装置１００のユーザに対して、チューナーが外部装置によって使用中である旨の警告を通知する。この通知は、受信装置１００での画像表示や音声によって行われる。その後、ステップＳ３０４へ進む。
（ステップＳ３０４）受信装置制御部１０３は、受信装置１００が選択チューナーの使用を開始するか否かを判定する。例えば、受信装置制御部１０３は、ステップＳ３０３の警告と併せて、視聴端末２００が使用中の選択チューナーの使用を開始するか否かを確認する画像を、受信装置１００のユーザに対して表示させる。受信装置１００が選択チューナーの使用を開始すると判定された場合（Ｙｅｓ）、ステップＳ３０５へ進む。一方、受信装置１００が選択チューナーの使用を開始しないと判定された場合（Ｎｏ）、図６の動作が終了される。つまり、受信装置１００のユーザが使用の開始を中止した場合は、選択チューナーの使用者である視聴端末２００は、選択チューナーを継続して使用する。
【００４３】
（ステップＳ３０５）受信装置制御部１０３は、選択チューナーについて、チューナー外部制御モードを中断し、自装置が制御する動作モードへ切り替える。ここで、受信装置制御部１０３は、チューナーテーブルに対して、この選択チューナーの使用中フラグに「ＯＮ」を書き込み、また、選択チューナーの使用者に自装置のＩＰアドレスを書き込む。受信装置制御部１０３は、使用者である視聴端末２００宛ての中断コマンドを生成する。この中断コマンドは、通信部１１０から送信され、無線装置Ｂ１を介して視聴端末２００に受信される。その後、ステップＳ３０６へ進む。
（ステップＳ３０６）受信装置１００は、Ｓ３０５でチューナー外部制御モードを中断した選択チューナーを使用して、テレビジョン放送を受信し、自装置のユーザにテレビジョン番組を視聴させる。以降、受信装置１００は、自装置のチューナー部１０１を自由に制御できる。その後、図６の動作が終了される。
（ステップＳ３０７）受信装置制御部１０３は、ステップＳ３０２で有ると判定した未使用チューナーを使用して、テレビジョン放送を受信し、自装置のユーザにテレビジョン番組を視聴させる。ここで、受信装置制御部１０３は、チューナーテーブルに対して、この選択チューナーの使用中フラグに「ＯＮ」を書き込み、また、選択チューナーの使用者に自装置のＩＰアドレスを書き込む。その後、図６の動作が終了される。
【００４４】
図７は、本実施形態に係る視聴端末２００の動作を示すフローチャートである。なお、この動作は、図５のステップＳ２０８において、行われる。
（ステップＳ４０１）端末制御部２０５は、ステップＳ３０５の中断コマンドを受信したか否かを判定する。中断コマンドを受信していないと判定された場合（Ｎｏ）、図７の動作が終了される。一方、中断コマンドを受信したと判定された場合（Ｙｅｓ）、ステップＳ４０２へ進む。
（ステップＳ４０２）端末制御部２０５は、チューナー制御テレビ視聴モードを中断する。その後、ステップＳ２０２へ戻る。以降、ステップＳ２０２にて、端末制御部２０５は、他の受信装置１００のチューナーテーブルを参照し、使用フラグを検索する。検索中、端末制御部２０５は、「検索中」等の表示を行わせても良い。検索の結果、選択チューナーが有ると判定された場合、端末制御部２０５は、チューナー使用要求を生成し、その応答を受信した場合、チューナー制御テレビ視聴モードへ、動作モードを切り替える（ステップＳ２０８）。一方、選択チューナーが無いと判定された場合、端末制御部２０５は、自装置が内蔵チューナーを備えるか否かを判定する（ステップＳ２０４）。内蔵チューナーを備える場合、端末制御部２０５は、無線ＬＡＮを切って（ステップＳ２０５）、内蔵チューナーテレビ視聴モードへ、動作モードを切り替える。内蔵チューナーを有しない場合には、端末制御部２０５は、無線ＬＡＮを切って、テレビジョン番組の視聴を中止する。この場合、端末制御部２０５は、「視聴中断」等の表示を行わせても良い。
【００４５】
このように、本実施形態によれば、受信装置制御部１０３は、受信装置１００が自装置の選択チューナーの使用を開始するとき、選択チューナーを視聴端末２００が使用している場合に、視聴端末２００による使用を中断し、選択チューナーを備える受信装置１００による使用を優先させる。
【００４６】
また、本実施形態では、受信装置制御部１０３は、視聴端末２００による使用を中断する場合に、中断コマンドを視聴端末２００へ送信させる。視聴端末２００は、放送を受信する内蔵チューナーを備える（図２では図示せず）。表示部２０８及び音声出力部２０７は、中断コマンドを受信した場合に、内蔵チューナーが受信した放送を視聴させる。
【００４７】
（第３の実施形態）
端末制御部２０５は、複数の使用可能チューナーが有る場合、予め記憶する優先順位に基づいて、選択チューナーを選択しても良い。例えば、端末制御部２０５は、受信装置１００の優先順位を記憶し、使用可能チューナーから、優先順位の最も高い受信装置１００のチューナーを選択チューナーとして選択しても良い。また、受信装置１００が複数のチューナーを備える場合には、チューナーについても優先順位を予め記憶してもよい。優先順位は、例えば、優先順位の高い方から低い方への順序が、次の（１）〜（５）の順序である。
（１）受信装置１００の検出（アドレスの取得）が早い順序
（２）ネットワーク上の距離が近い順序（例えば、視聴端末２００と受信装置１００の間のノード数が少ない順序）
（３）通信速度が速い順序
（４）チューナーの予約（図３参照）の時間が少ない順序（予約なしは時間「０」）
（５）チューナーの予約がないもの、続いて、チューナーの予約がある場合には、チューナーの予約における開始時間が遅い順序
【００４８】
（第４の実施形態）
チューナーテーブルは、受信装置１００の外部に記憶されても良い。例えば、無線装置Ｂ１又はサーバは、チューナーテーブルを記憶しても良い。この場合、各受信装置１００は、自装置のチューナーの使用状況を、無線装置Ｂ１又はサーバのチューナーテーブルに書き込む。この場合、視聴端末２００は、無線装置Ｂ１又はサーバのチューナーテーブルを参照すれば、すべての受信装置１００のチューナーの使用状況を取得することができる。したがって、視聴端末２００は、各受信装置１００と通信をしてチューナーテーブル各々を検索する場合と比較して、容易に選択チューナーを選択できる。
【００４９】
（第５の実施形態）
チューナー外部制御モードの受信装置１００が選択チューナーの使用を開始しようとする場合に、受信装置制御部１０３は、既に使用者のある視聴端末２００に継続して使用させることを優先させても良い。この場合、受信装置１００では、テレビジョン番組を視聴できない可能性はあるが、視聴端末２００に継続して視聴できる。
【００５０】
なお、上記各実施形態において、チューナー使用要求は、複数のチューナーの使用を要求するものであっても良い。この場合、受信装置制御部１０３は、複数のチューナーを視聴端末２００に使用させても良い。また、上記各実施形態において、視聴する放送は、テレビジョン放送に限らず、ラジオ放送であってもよい。また、上記各実施形態において、視聴端末２００から受信装置１００側にチューナー使用のリクエストを送信し、受信装置１００側でリクエストが受理されるまでには実際には多くの通信処理が行われてもよい。
【００５１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５２】
１００、１００ｎ・・・受信装置、１０１・・・チューナー部、１０２・・・受信信号処理部、１０３・・・受信装置制御部、１１０・・・通信部、１０４・・・受信装置通信部、１０５・・・アンテナ、２００・・・視聴端末、２１０・・・通信部、２０３・・・信号処理部、２０４・・・音声制御部、２０５・・・端末制御部、２０６・・・表示制御部、２０７・・・音声出力部、２０８・・・表示部、２０１・・・アンテナ、２０２・・・端末通信部、Ａ１・・・アンテナ、Ｂ１・・・無線装置
【図１】
2015056686.tif 000003
【図２】
2015056686.tif 000004
【図３】
2015056686.tif 000005
【図４】
2015056686.tif 000006
【図５】
2015056686.tif 000007
【図６】
2015056686.tif 000008
【図７】
2015056686.tif 000009